(57)【要約】  ヘッドマウントデバイスは、筐体構造体と、筐体構造体内に取り付けられたディスプレイモジュールと、筐体構造体に結合された調節可能な支持構造体とを含むことができる。調節可能な支持構造体は、ユーザの額に接して置かれる第１の部分と、ユーザの頬又はこめかみに接して置かれる第２及び第３の部分とを含んでもよい。調節可能な支持構造体は、調節可能な長さを有するポストを含む。【選択図】図１
2021536173.tif 000002
【特許請求の範囲】
【請求項１】
ユーザの頭部に装着するように構成されたヘッドマウントデバイスであって、
筐体構造体と、
前記筐体構造体内に取り付けられたディスプレイモジュールと、
前記筐体構造体に結合された調節可能な支持構造体であって、前記調節可能な支持構造体は、前記ヘッドマウントデバイスが前記ユーザの頭部に装着されたときに前記ユーザの額に接して置かれる第１の部分と、前記ユーザのそれぞれの左及び右の頬に接して置かれる第２及び第３の部分とを含み、前記調節可能な支持構造体は拡張及び収縮するように構成されている、調節可能な支持構造体と、
を備える、ヘッドマウントデバイス。
【請求項２】
前記調節可能な支持構造体の前記第１、第２、及び第３の部分は、互いに独立して拡張及び収縮するように構成されている、請求項１に記載のヘッドマウントデバイス。
【請求項３】
前記調節可能な支持構造体は、調節可能な長さを有するポストを含む、請求項１に記載のヘッドマウントデバイス。
【請求項４】
前記調節可能な支持構造体は、各ポストの一端に位置するパッドを含む、請求項３に記載のヘッドマウントデバイス。
【請求項５】
前記調節可能な支持構造体は、少なくとも２つの材料の入れ子式の層を含む、請求項１に記載のヘッドマウントデバイス。
【請求項６】
前記少なくとも２つの材料の入れ子式の層はそれぞれ、前記ヘッドマウントデバイスが前記ユーザの頭部に装着されたときに、前記ユーザの眼の周辺部を取り囲む連続的なループを形成する、請求項５に記載のヘッドマウントデバイス。
【請求項７】
前記少なくとも２つの材料の入れ子式の層はそれぞれ上部及び下部を有し、前記上部は、前記上部及び下部が互いに独立して拡張及び収縮するように、前記下部から分離されている、請求項５に記載のヘッドマウントデバイス。
【請求項８】
前記調節可能な支持構造体は膨張可能構造体を含む、請求項１に記載のヘッドマウントデバイス。
【請求項９】
前記膨張可能構造体はバルブを含む、請求項８に記載のヘッドマウントデバイス。
【請求項１０】
前記膨張可能構造体は、前記バルブが開いているときに自己膨張する連続気泡発泡体を含む、請求項９に記載のヘッドマウントデバイス。
【請求項１１】
前記調節可能な支持構造体はエラストマー材料を含む、請求項１に記載のヘッドマウントデバイス。
【請求項１２】
ユーザの頭部に装着するように構成されたヘッドマウントデバイスであって、
筐体構造体と、
前記筐体構造体内に取り付けられたディスプレイモジュールと、
前記筐体構造体に結合された調節可能な支持構造体であって、前記調節可能な支持構造体は、前記ヘッドマウントデバイスが前記ユーザの頭部に装着されたときに前記ユーザの額に接して置かれる第１の部分と、前記ユーザのそれぞれの左及び右のこめかみに接して置かれる第２及び第３の部分とを含み、前記調節可能な支持構造体は、前記第１の部分に圧力が加えられると、前記第２及び第３の部分を互いに向かって引っ張るケーブルを含む、調節可能な支持構造体と、
を備える、ヘッドマウントデバイス。
【請求項１３】
前記調節可能な支持構造体は可撓性部材を含み、前記ケーブルは前記可撓性部材内に位置する、請求項１２に記載のヘッドマウントデバイス。
【請求項１４】
前記可撓性部材は、前記ヘッドマウントデバイスが前記ユーザの頭部に装着されたときに、前記ユーザの眼の周辺部を取り囲むループを形成する、請求項１３に記載のヘッドマウントデバイス。
【請求項１５】
前記ケーブルは、前記ヘッドマウントデバイスが前記ユーザの頭部に装着されたときに、前記ユーザの眼の前記周辺部を取り囲む前記可撓性部材内に、追加のループを形成する、請求項１４に記載のヘッドマウントデバイス。
【請求項１６】
前記可撓性部材は第１及び第２の旋回点を有し、前記第１の旋回点は前記第１の部分と前記第２の部分との間に位置し、前記第２の旋回点は、前記第１の部分と前記第３の部分との間に位置し、前記可撓性部材は、前記ケーブルが前記第２及び第３の部分を互いに向かって引っ張るときに、前記第１及び第２の旋回点で旋回する、請求項１３に記載のヘッドマウントデバイス。
【請求項１７】
ユーザの頭部に装着するように構成されたヘッドマウントデバイスであって、
筐体構造体と、
前記筐体構造体内に取り付けられたディスプレイモジュールと、
前記筐体構造体に結合された調節可能な支持構造体であって、前記調節可能な支持構造体は、前記ヘッドマウントデバイスが前記ユーザの頭部に装着されたときに前記ユーザの額に接して置かれる第１の部分と、前記ユーザのそれぞれの左及び右の頬に接して置かれる第２及び第３の部分とを含み、前記調節可能な支持構造体は、旋回点を中心に回転する可動部材を含む、調節可能な支持構造体と、
を備える、ヘッドマウントデバイス。
【請求項１８】
前記可動部材は上端部及び下端部を含み、前記旋回点は前記下端部に位置する、請求項１７に記載のヘッドマウントデバイス。
【請求項１９】
前記可動部材は上端部及び下端部を含み、前記旋回点は前記上端部と下端部の間に位置する、請求項１７に記載のヘッドマウントデバイス。
【請求項２０】
前記筐体構造体を前記ユーザの頭部に取り付けるストラップを更に含み、前記可動構造体は前記ストラップに対して回転する、請求項１７に記載のヘッドマウントデバイス。
【発明の詳細な説明】
【技術分野】
【０００１】
本出願は、概して、電子デバイスに関し、より詳細には、装着型電子デバイスシステムに関する。
【背景技術】
【０００２】
本出願は、２０１９年９月５日付出願の米国特許出願第１６／５６２，２９３号、及び２０１８年９月１２日付出願の米国仮特許出願第６２／７３０，４８０号に対する優先権を主張するものであり、それらの全体が参照により本明細書に組み込まれる。
【０００３】
電子デバイスは、ユーザによって装着されるように構成されることがある。例えば、ヘッドマウントデバイスには、デバイスをユーザの頭部に装着することを可能にするヘッドマウント構造体が設けられている。ヘッドマウントデバイスは、レンズを有する光学システムを含んでもよい。レンズは、デバイス内のディスプレイがユーザに視覚コンテンツを提示することを可能にする。
【０００４】
ユーザは、異なる形状及びサイズの顔を有する。このため、ヘッドマウントデバイスが複数のユーザによって使用される場合に、課題が生じ得る。注意を払わないと、ヘッドマウントデバイスは特定のユーザに対してうまく適合しない場合がある。
【発明の概要】
【０００５】
ヘッドマウントデバイスは、ユーザにコンテンツを表示するディスプレイを有することができる。デバイス内のヘッドマウント支持構造体は、ディスプレイをユーザの頭部上に支持する。
【０００６】
ヘッドマウントデバイスは、レンズモジュール内にレンズを有することができる。左のポジショナを使用して左レンズモジュールを位置決めすることができる。右ポジショナを使用して、右レンズモジュールを位置決めすることができる。左レンズモジュール及び右レンズモジュールは、ディスプレイのそれぞれの左右のレンズ及びそれぞれの左右の部分を有することができる。
【０００７】
異なる顔形状及びサイズを有するユーザに適応するために、ヘッドマウントデバイスは、筐体構造体に結合された調節可能な支持構造体を含むことができる。調節可能な支持構造体は、ユーザの額に接して置かれる第１の部分と、ユーザの頬又はこめかみに接して置かれる第２及び第３の部分とを含んでもよい。いくつかの構成では、調節可能な支持構造体は、拡張及び収縮して異なる顔形状及びサイズに適応するように構成することができる。拡張及び収縮する調節可能な支持構造体は、調節可能な長さを有するポスト、材料の入れ子式の層、膨張可能構造体、及び／又はエラストマー材料を含むことができる。
【０００８】
いくつかの構成では、調節可能な支持構造体は、可撓性部材内に位置するケーブルを含む。可撓性部材の額部分に圧力が加えられると、ケーブルは、可撓性部材のこめかみ部分を互いに向かって（例えば、ユーザのこめかみに向かって）引っ張る。
【０００９】
いくつかの構成では、調節可能な支持構造体は、旋回軸を中心に旋回する可動部材を含むことができる。旋回軸は、可動部材の下端部、可動部材の上端部、又は可動部材の上端部と下端部との間に位置してもよい。
【図面の簡単な説明】
【００１０】
【図１】一実施形態に係る、調節可能な支持構造体を有するヘッドマウントデバイスなどの例示的な電子デバイスの概略図である。
【図２】一実施形態に係る、例示的な調節可能な支持構造体を有するヘッドマウントデバイスの平面図である。
【図３】一実施形態に係る、ヘッドマウントデバイス内の調節可能な支持構造体を使用して適応することができる例示的な顔の輪郭の側面図である。
【図４】一実施形態に係る、ヘッドマウントデバイス内の調節可能な支持構造体を使用して適応することができる例示的な顔の輪郭の側面図である。
【図５】一実施形態に係る、ヘッドマウントデバイス内の調節可能な支持構造体を使用して適応することができる、異なる幅を有する例示的な顔の正面図である。
【図６】一実施形態に係る、伸長可能なポストなどの調節可能な支持構造体を有する例示的なヘッドマウントデバイスの斜視図である。
【図７】一実施形態に係る、左右の側部部材をユーザのこめかみに向かって引っ張るケーブルなどの調節可能な支持構造体を有する例示的なヘッドマウントデバイスの底面図である。
【図８】一実施形態に係る、図７のヘッドマウントデバイスの正面図である。
【図９】一実施形態に係る、可動部材の底部において旋回点を中心として旋回する可動部材などの調節可能な支持構造体を有する例示的なヘッドマウントデバイスの斜視図である。
【図１０】一実施形態に係る、可動部材の中心において旋回点を中心に旋回する可動部材などの調節可能な支持構造体を有する例示的なヘッドマウントデバイスの側面図である。
【図１１】一実施形態に係る、拡張及び収縮する入れ子式の層などの調節可能な支持構造体を有する例示的なヘッドマウントデバイスの斜視図である。
【図１２】一実施形態に係る、拡張及び収縮する膨張可能部材などの調節可能な支持構造体を有する例示的なヘッドマウントデバイスの斜視図である。
【図１３】一実施形態による、変形可能構造体を含む調節可能な支持構造体を有する例示的なヘッドマウントデバイスの斜視図である。
【発明を実施するための形態】
【００１１】
電子デバイスは、コンテンツをユーザに提示するためのディスプレイ及び他の構成要素を含むことができる。電子デバイスは、装着型電子デバイスであってもよい。ヘッドマウントデバイスなどの装着型電子デバイスは、ヘッドマウントデバイスをユーザの頭部に装着することを可能にするヘッドマウント支持構造体を有してもよい。
【００１２】
ヘッドマウントデバイスは、ユーザに視覚コンテンツを表示するための１つ以上のディスプレイパネル（ディスプレイ）から形成されたディスプレイを含んでもよい。レンズシステムを使用して、ユーザがディスプレイに焦点を合わせて、視覚コンテンツを見ることを可能にすることができる。レンズシステムは、ユーザの左眼と位置合わせされた左レンズ、及びユーザの右眼と位置合わせされた右レンズを有することができる。
【００１３】
全てのユーザが同じ顔の形状又は顔のサイズを有するわけではない。広範囲のユーザがディスプレイ上のコンテンツを快適に見ることができることを確実にするために、ヘッドマウントデバイスに調節可能な支持構造体を設けることができる。調節可能な支持構造体は、異なる顔形状及びサイズに適応するようにヘッドマウントデバイスのサイズ及び／又は位置を調節する際に使用することができる。
【００１４】
ユーザの顔の特徴に対するレンズの満足な配置を確実にするのを助ける調節可能な支持構造体を有する電子デバイスを有する例示的なシステムの概略図が、図１に示されている。図１に示すように、システム８は、電子デバイス１０などの１つ以上の電子デバイスを含んでもよい。システム８の電子デバイスは、コンピュータ、携帯電話、ヘッドマウントデバイス、腕時計デバイス、及び他の電子デバイスを含むことができる。電子デバイス１０がヘッドマウントデバイスである構成が、本明細書において時折一例として記述される。
【００１５】
図１に示すように、電子デバイス１０などの電子デバイスは、制御回路１２を有することができる。制御回路１２は、デバイス１０の動作を制御するための記憶装置及び処理回路を含んでもよい。回路１２は、ハードディスクドライブ記憶装置、不揮発性メモリ（例えば、ソリッドステートドライブを形成するように構成された電気的にプログラム可能な読み出し専用メモリ）、揮発性メモリ（例えば、静的又は動的ランダムアクセスメモリ）、その他、などの記憶装置を含んでもよい。
【００１６】
制御回路１２内の処理回路は、１つ以上のマイクロプロセッサ、マイクロコントローラ、デジタル信号プロセッサ、ベースバンドプロセッサ、電力管理ユニット、オーディオチップ、グラフィック処理ユニット、特定用途向け集積回路、及びその他の集積回路に基づいてもよい。ソフトウェアコードは、回路１２内の記憶装置上に記憶され、回路１２内の処理回路上で実行されて、デバイス１０の制御動作（例えば、データ収集動作、三次元顔画像データの処理に伴う動作、制御信号を使用して構成要素の調整を伴う動作など）を実施することができる。制御回路１２は、有線及び無線通信回路を含むことができる。例えば、制御回路１２は、セルラー電話送受信機回路、無線ローカルエリアネットワーク（ＷｉＦｉ（登録商標））送受信機回路、ミリ波送受信機回路、及び／又は他の無線通信回路などの高周波送受信機回路を含むことができる。
【００１７】
動作中、システム８内のデバイスの通信回路（例えば、デバイス１０の制御回路１２の通信回路）を使用して、電子デバイス間の通信をサポートすることができる。例えば、１つの電子デバイスは、システム８内の別の電子デバイスにビデオ及び／又はオーディオデータを送信することができる。システム８内の電子デバイスは、有線及び／又は無線通信回路を使用して、１つ以上の通信ネットワーク（例えば、インターネット、ローカルエリアネットワークなど）を介して通信することができる。通信回路を使用して、外部機器（例えば、テザーコンピュータ、ハンドヘルドデバイス若しくはラップトップコンピュータなどのポータブルデバイス、リモートサーバ若しくは他のリモートコンピューティング機器などのオンラインコンピューティング機器、又は他の電気機器）からデータをデバイス１０によって受信する、かつ／又は外部機器にデータを提供することを可能にすることができる。
【００１８】
デバイス１０は、入出力デバイス２２を含むことができる。入出力デバイス２２を使用して、ユーザがデバイス１０にユーザ入力を提供することを可能にすることができる。入出力デバイス２２はまた、デバイス１０が動作している環境に関する情報を収集するために使用されてもよい。デバイス２２内の出力構成要素は、デバイス１０がユーザに出力を提供することを可能にすることができ、外部電気機器との通信に使用することができる。
【００１９】
図１に示すように、入出力デバイス２２は、ディスプレイ１４などの１つ以上のディスプレイを含むことができる。いくつかの構成では、デバイス１０のディスプレイ１４は、ユーザの左眼及び右眼とそれぞれ位置合わせされた左及び右のディスプレイパネル（ディスプレイ１４の左右の部分並びに／又は左及び右ディスプレイと呼ばれることもある）を含む。他の構成では、ディスプレイ１４は、両眼にわたって延びる単一のディスプレイパネルを含む。
【００２０】
ディスプレイ１４を使用して、画像を表示することができる。デバイス１０のユーザはディスプレイ１４上に表示された視覚コンテンツを見ることができる。ディスプレイ１４などのデバイス１０のディスプレイは、有機発光ダイオードディスプレイ若しくは発光ダイオードのアレイに基づく他のディスプレイ、液晶ディスプレイ、液晶オンシリコン（liquid-crystal-on-silicon）ディスプレイ、専用の光学素子（例えばデジタルマイクロミラーデバイス）を介して直接若しくは間接的に表面上に光ビームを投影することに基づくプロジェクタ若しくはディスプレイ、電気泳動ディスプレイ、プラズマディスプレイ、エレクトロウェッティングディスプレイ、又は任意の他の好適なディスプレイであってもよい。
【００２１】
ディスプレイ１４は、仮想現実コンテンツ及び複合現実コンテンツなどのコンピュータ生成コンテンツをユーザに提示することができる。仮想現実コンテンツは、現実世界コンテンツの不在下で表示されてもよい。拡張現実コンテンツと時に呼ばれることもある複合現実コンテンツは、現実世界画像上に重ね合わされたコンピュータ生成画像を含んでもよい。現実世界画像は、カメラ（例えば、前向きカメラ）によってキャプチャされ、重ね合わされたコンピュータ生成コンテンツとマージされてもよく、又は光結合システムを使用して、コンピュータ生成コンテンツを現実世界画像の上に重ね合わせることを可能にすることができる。一例として、一対の複合現実眼鏡又は他の拡張現実ヘッドマウントディスプレイは、ビームスプリッタ、プリズム、ホログラフィックカプラ、又は他の光カプラを介してユーザに画像を提供するディスプレイデバイスを含んでもよい。ディスプレイ１４が仮想現実コンテンツをレンズを介してユーザに表示するために使用される構成が、本明細書で一例として説明される。
【００２２】
入出力回路２２は、センサ１６を含んでもよい。センサ１６としては、例えば、三次元センサ（例えば、光ビームを放射し、かつ二次元デジタル画像センサを使用して、標的が光ビームによって照射されると生成される光スポットから三次元画像のための画像データを収集する、構造化光センサなどの三次元画像センサ、双眼撮像構成で２つ以上のカメラを使用して三次元画像を収集する双眼三次元画像センサ、三次元ライダー（光検出及び測距ｌｉｄａｒ（light detection and ranging））センサ、三次元高周波センサ、又は三次元画像データを収集する他のセンサ）、カメラ（例えば、赤外線及び／又は可視デジタル画像センサ）、視線追跡センサ（例えば、画像センサに基づく視線追跡システム、及び所望であれば、ユーザの眼から反射した後に画像センサを使用して追跡される１つ以上の光ビームを放射する光源）、タッチセンサ、ボタン、力センサ、スイッチに基づく接触センサなどのセンサ、ガスセンサ、圧力センサ、湿度センサ、磁気センサ、オーディオセンサ（マイクロフォン）、周囲光センサ、音声コマンド及び他のオーディオ入力を収集するためのマイクロフォン、動き、位置、及び／若しくは向きに関する情報を収集するように構成されたセンサ（例えば、加速度計、ジャイロスコープ、コンパス、及び／又はこれらのセンサの全て若しくはこれらのセンサのうちの１つ若しくは２つのサブセットを含む慣性測定ユニット）、指紋センサ及び他の生体センサ、光学位置センサ（光学エンコーダ）、並びに／又は線形位置センサなどの他の位置センサ、並びに／又は他のセンサを挙げることができる。
【００２３】
ユーザ入力及び他の情報は、入出力デバイス２２内のセンサ及び他の入力デバイスを使用して収集されてもよい。所望であれば、入出力デバイス２２は、触覚出力デバイス（例えば、振動構成要素）、発光ダイオード及び他の光源、オーディオ出力を生成するためのイヤスピーカなどのスピーカ、並びに他の電気構成要素などの他のデバイス２４を含むことができる。デバイス１０は、無線電力を受信するための回路、他のデバイスに無線で電力を送信するための回路、バッテリ及び他のエネルギ貯蔵デバイス（例えば、コンデンサ）、ジョイスティック、ボタン、並びに／又は他の構成要素を含むことができる。
【００２４】
電子デバイス１０は、図１の例示的な支持構造体２６によって示されるように、筐体構造体（例えば、筐体壁、ストラップなど）を有してもよい。電子デバイス１０がヘッドマウントデバイス（例えば、一対の眼鏡、ゴーグル、ヘルメット、帽子など）である構成では、支持構造体２６は、ヘッドマウント支持構造体（例えば、ヘルメット筐体、ヘッドストラップ、一対の眼鏡のテンプル、ゴーグル筐体構造体、及び／又は他のヘッドマウント構造体）を含むことができる。ヘッドマウント支持構造体は、デバイス１０の動作中にユーザの頭部に装着されるように構成されてもよく、ディスプレイ（単数又は複数）１４、センサ１６、他の構成要素２４、他の入出力デバイス２２、及び制御回路１２を支持してもよい。支持構造体２６は、デバイス１０が異なる形状及びサイズの顔に適合することができるように、調節可能な支持構造体を含むことができる。
【００２５】
図２は、電子デバイス１０がヘッドマウントデバイスである例示的な構成の電子デバイス１０の平面図である。図２に示すように、電子デバイス１０は、デバイス１０の構成要素を収容してデバイス１０をユーザの頭部に装着するのに使用される支持構造体（例えば、図１の支持構造体２６を参照）を含んでもよい。これらの支持構造体は、例えば、支持構造体２６−１、２６−２、及び２６−３を含むことができる。支持構造体２６−３は、ディスプレイ１４並びに他の光学構成要素及び電気構成要素を支持するための、筐体壁及び他の構造体（例えば、外部筐体壁、レンズモジュール構造体など）を備える主ユニット（例えば、主筐体構造体）を形成することができる。支持構造体２６−２は、ユーザの眼がアイボックス６０内に位置するように、ユーザの顔及び／又は頭部上に主ユニット２６−３を保持するのに役立つストラップ又は他の補助支持構造体を含んでもよい。支持構造体２６−１は、ユーザの顔の前面（例えば、ユーザの額、頬、こめかみ、及び／又は鼻）に接して置かれてもよく、快適性を高めるために、パッド、発泡体、及び／又は他の軟質材料を含んでもよい。支持構造体２６−１、２６−２、及び２６−３などの支持構造体２６は、金属、ポリマー（例えば、熱可塑性材料、熱硬化性プラスチック、又は他のプラスチック）、布地、ガラス、セラミック、形状記憶合金、発泡体、エラストマー材料、他の材料、又はこれらの材料の組み合わせから形成されてもよい。
【００２６】
支持構造体２６の一部又は全ては、調節可能とすることができる。例えば、支持構造体２６−２（ストラップ２６−２と呼ばれることもある）は、異なる頭部形状及びサイズに適応するための調節可能なストラップを含むことができる。支持構造体２６−１は、異なる顔形状及びサイズに適応するための調節可能な構造体を含むことができる。支持構造体２６−１は、直線的に（例えば、図２のＸ、Ｙ、及び／又はＺ軸に平行に）移動することができる調節可能な構造体を含んでもよく、及び／又は回転させることができる（例えば、図２のＸ軸、Ｙ軸、及び／又はＺ軸を中心に回転される）調節可能な構造体を含んでもよい。異なる顔の形状及びサイズに適応することは、ユーザの快適性を向上させるのに役立ち得る一方で、ディスプレイ１４がユーザの眼に対して適切に位置合わせされることを確実にすることもできる。
【００２７】
ディスプレイ１４は、ユーザの左眼（及び左アイボックス６０）並びに右眼（及び右アイボックス６０）にそれぞれ対応する左右のディスプレイモジュール７０にそれぞれ取り付けられた左右のディスプレイパネル（例えば、左右のディスプレイ又は左右のディスプレイ部分と呼ばれることもある左右の画素アレイ）を含んでもよい。レンズ支持構造体、レンズ筐体、又はレンズ及びディスプレイ筐体と呼ばれることもあるモジュール７０は、それぞれの左右のポジショナ５８などの位置決め回路を使用して、主ユニット２６−３の筐体壁構造体に対して、かつユーザの眼に対して個別に位置決めすることができる。ポジショナ５８は、レンズモジュール位置を調整するためのステッピングモータ、圧電アクチュエータ、モータ、線形電磁アクチュエータ、及び／又は他の電子部品であってもよい。ポジショナ５８は、デバイス１０の動作中に制御回路１２によって制御されてもよい。例えば、ポジショナ５８を使用して、モジュール７０間の間隔（したがって、モジュール７０のレンズの左レンズと右レンズの間のレンズ対レンズ間隔）を調整して、ユーザの眼の瞳孔間距離と一致させることができる。これにより、ユーザは、左右のレンズモジュール内のディスプレイ１４の左右のディスプレイ部分を見ることができる。所望であれば、ポジショナ５８の一方又は両方を使用して、異なる顔形状に適応するように調節可能な支持構造体２６−１の位置を調節することもできる。しかし、これは単なる例示である。所望であれば、調節可能な支持構造体２６−１は、ユーザによって手動で調節することができる。
【００２８】
図３、図４、及び図５は、図２の調節可能な支持構造体２６−１などの調節可能な支持構造体によって適応することができる、異なる顔形状の例示的な実施例を示す。
【００２９】
図３及び４の例は、ユーザがどのように異なる額及び頬位置を有し得るかを示す。支持構造体２６−１がユーザの額に載る上面と、ユーザの頬に載る下面とを有することができるため、ユーザの額及び頬の隆起は重要である。ユーザの額がユーザの頬よりも著しく突き出ている場合、これは、注意していないと、ディスプレイモジュール７０の後方傾斜をもたらし得る（例えば、ディスプレイモジュール７０の上縁部がユーザの眼から離れる方向に傾く）。逆に、ユーザの額がユーザの頬に対して凹んでいる場合、これは、ディスプレイモジュール７０の前方傾斜をもたらし得る（例えば、ディスプレイモジュール７０の上縁部がユーザの眼に向かって傾斜する）。調節可能な支持構造体２６−１は、ユーザの額及び頬の相対的な隆起を考慮するように調節することができる。
【００３０】
図３の例では、ユーザの額は、ユーザの頬よりも著しく突き出ている。ユーザの頬と額との間に伸びる線９６は、垂直軸Ｙに対して角度θ１にある。図４の例では、ユーザの額は、ユーザの頬よりもわずかに突き出ている。ユーザの頬と額との間に伸びる線９８は、垂直軸Ｙに対して角度θ２であり、θ２はθ１未満である。調節可能な支持構造体２６−１は、異なる頬から額までの角度（例えば、θ１、θ２及び任意の他の頬から額への角度）を考慮するようにデバイス１０の位置を調節することを可能にし得る。これにより、ディスプレイ１４は、ユーザの額及び頬の隆起にかかわらず、ユーザの眼の焦点面に対して適切に位置合わせされることが確実になる。
【００３１】
図５は、ユーザがどのように異なる顔幅を有し得るかを示す。図５に示すように、ユーザ９０は顔幅Ｗ１を有してもよく、ユーザ９２は、Ｗ１より大きい顔幅Ｗ２を有してもよい。調節可能な支持構造体２６−１は、異なる顔幅（例えば、Ｗ１、Ｗ２及び任意の他の好適な顔幅）を考慮するようにデバイス１０を調節することができる。
【００３２】
図３、図４及び図５は、顔の形状及び顔のサイズが変化し得る方法の単なる例示的実施例である。一般に、デバイス１０は、任意の顔形状又はサイズに適応するための調節可能な支持構造体を含むことができる。
【００３３】
図６、７、８、９、１０、１１、１２、及び１３は、異なる顔形状及び顔サイズに適応するために使用され得る調節可能な支持構造体の例示的な実施例を示す。以下の実施例は、調節可能な支持構造体の単なる例示に過ぎないことを理解されたい。所望であれば、以下の実施例の代わりに、又はそれに加えて、他の調節可能な支持構造体が使用されてもよい。所望であれば、デバイス１０は、調節可能な支持構造体の以下の実施例のうちの任意の２つ以上の組み合わせを含んでもよい。
【００３４】
図６は、デバイス１０内の支持構造体２６−１の例示的な実施例を示す斜視図である。図６に示すように、デバイス１０は、フレーム８４を含むことができる。フレーム８４は、主ユニット２６−３に結合する外面８６、及びユーザの顔に面する内面８８を有することができる。フレーム８４は、フレーム８４を図２のストラップ２６−２に結合するための、左右の取り付け構造体３６を含んでもよい。所望であれば、フレーム８４及び取り付け構造体３６は、主ユニット２６−３の一部を形成してもよく、又は調節可能な支持構造体２６−１の一部を形成してもよい。
【００３５】
支持構造体２６−１は、フレーム８４の内面８８から伸長する１つ以上の伸長可能なポスト３２を含むことができる。各伸長可能ポスト３２は、フレーム８４の内面８８に結合された第１の端部、及びフェースパッド３４などのフェースパッドに結合された第２の対向端部を有してもよい。図６の例では、それぞれがフェースパッド３４Ａ、３４Ｂ、及び３４Ｃの関連する１つに結合された３つの伸長可能なポスト３２が存在する。フェースパッド３４Ａは、ユーザの額に載ってもよく、フェースパッド３４Ｂ及び３４Ｃは、ユーザの左及び右の頬の上にそれぞれ載ってもよい。各ポスト３２は、方向３０に沿って（例えば、図６のＺ軸に平行に）伸長及び収縮してもよい。各ポスト３２の長さＬは、所望であれば、他のポスト３２とは独立して調整することができる。各ポスト３２の長さＬは、０ｍｍ（例えば、対応するフェースパッド３４がフレーム８４の内面８８に接触するように）、０ｍｍ〜２ｍｍ、０ｍｍ〜１ｍｍ、１ｍｍ〜５ｍｍ、３ｍｍ〜８ｍｍ、８ｍｍ超、８ｍｍ未満、又は任意の他の好適な長さに調整することができる。
【００３６】
いくつかの構成では、ポスト３２及びフェースパッド３４は、方向３０に沿って（例えば、Ｚ軸に平行に）直線的に移動するようにのみ構成されてもよい。他の構成では、ポスト３２及びフェースパッド３４は、ポスト３２の長手方向軸を中心に回転するように構成されてもよい。
【００３７】
ポスト３２は、任意の好適な長さ調整機構を使用して（例えば、複数の入れ子式の管状セクション、複数の折り畳みセクションなどを使用して）伸長及び収縮することができ、そして任意の好適なロック機構（例えば、嵌合溝及び突出部、ねじ、磁石、摩擦、ばね力、クラッチ機構など）を使用して、所望の長さで定位置にロックすることができる。ポスト３２は、任意の好適な長さＬで定位置にロックされてもよく、又は所定の長さＬでのみ定位置にロックされてもよい。ポスト３２は、コンピュータ制御されたポジショナ５８を使用して拡張及び収縮させることができ、かつ／又は、ユーザによって手動で拡張及び収縮させることができる。クラッチ機構を使用してポスト３２が所定の長さでロックされる構成では、ユーザは、ボタンを押すか、又は他のユーザ入力を提供してクラッチ機構をロック解除し、それによってポスト３２を拡張又は収縮させることができる。ポスト３２が摩擦を使用してロックされる構成では、ユーザはポスト３２を単に引っ張るか又は押すかして、ポスト３２の長さを調節することができる。各ポスト３２の長さＬを個別に調整することによって、デバイス１０は、ユーザの顔上に適切に配置することができ、ユーザの額及び頬の隆起にかかわらず、ディスプレイモジュール７０をユーザの眼と位置合わせすることができる（例えば、図３及び図４を参照）。
【００３８】
３つのポスト３２及び３つの対応するフェースパッド３４が存在する図６の例は、単なる例示に過ぎない。所望であれば、３つよりも少ないポスト３２が存在してもよく、又は３つを超えるポスト３２が存在してもよい（例えば、５、１０、１５、２０、２０よりも多い、又は２０未満のポスト３２が存在してもよい）。各ポスト３２は、フェースパッド３４の関連する１つに結合されてもよく、各フェースパッド３４に結合された複数のポスト３２が存在してもよく、又は、各ポスト３２に結合された複数のフェースパッド３４が存在してもよい。
【００３９】
図７及び図８は、デバイス１０内の調節可能な支持構造体２６−１の別の例示的な実施例を示す。図７の底面図に示すように、デバイス１０は、フレーム８４を含んでもよい。フレーム８４は、主ユニット２６−３に結合する外面８６、及びユーザの顔に面する内面８８を有することができる。所望であれば、フレーム８４は、主ユニット２６−３の一部を形成してもよく、又は調節可能な支持構造体２６−１の一部を形成してもよい。
【００４０】
図７及び図８の実施例では、調節可能な支持構造体２６−１は、ユーザの顔に載る可撓性部材１０２を含む。具体的には、可撓性部材１０２は、ユーザの額に載る額部分４８、ユーザの鼻に隣接して寄りかかる鼻部分４６、並びにユーザの左及び右の頬又はこめかみの上に載る左側及び右側部分４４を含んでもよい。ケーブル４２などのケーブルは、可撓性部材１０２内に位置してもよい。可撓性部材１０２及びケーブル４２は、旋回点５０などの１つ以上の旋回点を有してもよい。ユーザがデバイス１０を自分の頭部上に置くと、ユーザの額は額部分４８を押圧することができ、これは次にケーブル４２を押圧する。ケーブル４２は、ケーブル４２に対して方向４０で圧力がかかると、左側及び右側部分４４のケーブル４２の部分が方向３８で内側に引っ張られるように（例えば、側面部分４４がユーザのこめかみに向かって内側に移動するように）、可撓性部材１０２内で張力下に保持することができる。
【００４１】
図８に示すように、可撓性支持部材１０２は、ユーザの眼の周辺部の周りに伸びる連続的なループを形成してもよい。所望であれば、ケーブル４２はまた、可撓性支持部材１０２内に連続的なループを形成してもよい。可撓性フレーム部材１０２には、任意の好適な数の旋回点５０が存在し得る。図８の実施例では、旋回点５０は、額部分４８の左に、額部分４８の右に、鼻部分４６の左に、及び鼻部分４６の右に位置する。ユーザの額が額部分４８及び／又は鼻部分４６内のケーブル４２に圧力を加えると、ケーブル４２の張力は、側部４８を方向３８に（例えば、ユーザのこめかみの方へ）互いに向かって移動させる。この機構は、異なる顔幅に適応するようにデバイス１０の幅を調節するために使用することができる（例えば、図５を参照）。
【００４２】
図９は、デバイス１０内の調節可能な支持構造体２６−１の別の例示的な実施例を示す。図９に示すように、調節可能な支持構造体２６−１は、フレーム８４を含むことができる。フレーム８４は、主ユニット２６−３に結合する外面８６、及びユーザの顔に面する内面８８を有することができる。フレーム８４は、フレーム８４を図２のストラップ２６−２に結合するための、左右の取り付け構造体３６を含んでもよい。所望であれば、フレーム８４及び取り付け構造体３６は、主ユニット２６−３の一部を形成してもよく、又は調節可能な支持構造体２６−１の一部を形成してもよい。
【００４３】
図９の実施例では、調節可能な支持構造体２６−１は可動部材５４を含む。可動部材５４が、フレーム８４とユーザの顔との間に介在してもよい。可動部材５４は、フレーム８４のループ形状と一致する連続的なループ形状を有してもよく、又はユーザの左眼を取り囲むか若しくは部分的に取り囲む左可動部材５４、及びユーザの右眼を取り囲むか若しくは部分的に取り囲む右可動部材５４が存在してもよい。可動部材５４は、旋回点５６を中心として旋回するように構成されてもよい。可動部材５４が旋回すると、可動部材５４は、垂直位置（例えば、実線５４によって示されるように可動部材５４がフレーム８４の内面８８に実質的に平行である）と傾斜位置（例えば、破線５４’で示されるように可動部材がフレーム８４の内面８８に対して傾斜している）との間で方向５２に沿って移動することができる。所望であれば、ロック機構を使用して、可動部材５４を所望の位置にロックすることができる。
【００４４】
旋回点５６が可動部材５４の底部（例えば、ユーザの頬に接して置かれる可動部材５４の部分）に位置する図９の実施例は単なる例示に過ぎない。所望であれば、旋回点５６は、可動部材５４の頂部（例えば、ユーザの額に接して置かれる可動部材５４の部分）に位置してもよく、又は可動部材５４内の他の場所に位置してもよい。図１０では、例えば、旋回点１０４は可動部材５４の中央に位置する。これにより、可動部材５４の上部５４Ｔ及び底部５４Ｂは、フレーム８４に向かって又はフレーム８４から離れる方向に傾けることが可能になる。
【００４５】
可動部材５４の位置を調整することによって、デバイス１０は、ユーザの顔上に適切に配置することができ、ユーザの額及び頬の隆起にかかわらず、ディスプレイモジュール７０をユーザの眼と位置合わせすることができる（例えば、図３及び図４を参照）。
【００４６】
図１１は、デバイス１０内の調節可能な支持構造体２６−１の別の解例示的な実施例を示す。図１１に示すように、デバイス１０は、フレーム８４を含むことができる。フレーム８４は、主ユニット２６−３に結合する外面８６、及びユーザの顔に面する内面８８を有することができる。所望であれば、フレーム８４は、主ユニット２６−３の一部を形成してもよく、又は調節可能な支持構造体２６−１の一部を形成してもよい。
【００４７】
図１１の実施例では、調節可能な支持構造２６−１は、材料の層６４などの材料の入れ子式の層から形成される。材料の入れ子式の層６４の２つ、３つ、４つ、４つより多く、又は４つ未満が存在してもよい。各入れ子式の層６４は、ユーザの眼の周辺部の周りに連続的なループを形成してもよく、又はユーザの左眼及び右眼用の入れ子式の層６４の別個のセットが存在してもよい。入れ子式の層６４は、方向６２に沿って拡張及び収縮するように構成することができる。入れ子式の層６４が完全に収縮した位置にあるとき、層６４は、フレーム８４の近くで互いに重なり合うことができる。入れ子式の層６４が完全に伸長した位置にあるとき、層６４は、方向６２に広げることができる。いくつかの構成では、各入れ子式の層６４は、層６４の上部６４Ｔを拡張又は収縮させることがまた、層６４の底部６４Ｂを拡張又は収縮させるように、１つの固体部品として動くことができる。他の構成では、各層６４の一部分は、層６４の別の部分に対する層６４の１つの部分の独立した移動を可能にするように互いに分離されてもよい。例えば、各層６４の上部６４Ｔは、各層６４の底部６４Ｂから分離することができ、それにより、上部６４Ｔ及び底部６４Ｂが互いに独立して拡張及び収縮することを可能にする。
【００４８】
層６４は、所望の位置に拡張され、任意の好適なロック機構（例えば、嵌合溝及び突出部、ねじ、磁石、摩擦、ばね力、クラッチ機構など）を使用して所定の位置にロックすることができる。層６４は、任意の好適な位置でロックされてもよく、又は設定された数の所定の位置でのみロックされてもよい。層６４がクラッチ機構を使用して所定の長さでロックされる構成では、ユーザは、ボタンを押すか、又は他のユーザ入力を提供してクラッチ機構をロック解除し、それによって層６４を拡張又は収縮させることができる。層６４が摩擦を使用してロックされる構成では、ユーザは層６４を単に引っ張るか又は押すかして、層６４の位置を調整することができる。
【００４９】
図１２は、デバイス１０内の調節可能な支持構造体２６−１の別の例示的な実施例の斜視図を示す。図１２に示すように、デバイス１０は、フレーム８４を含むことができる。フレーム８４は、主ユニット２６−３に結合する外面８６、及びユーザの顔に面する内面８８を有することができる。所望であれば、フレーム８４は、主ユニット２６−３の一部を形成してもよく、又は調節可能な支持構造体２６−１の一部を形成してもよい。
【００５０】
図１２の実施例では、調節可能な支持構造体２６−１は、膨張可能構造体７６を含む。膨張可能構造体７６（空気袋と呼ばれることもある）は、空気が方向６８に入り、そこから出ることができるバルブ６６などのバルブを含んでもよい。空気がバルブ６６に入るとき、膨張可能構造体７６は、方向７４に沿って拡張し得る。膨張可能構造体７６が適切な膨張位置に到達したとき、バルブ６６は閉じることができる。膨張可能構造体７６を後退及び圧縮することが望ましいとき、バルブ６６は、空気が膨張可能構造体７６から出ることを可能にするように開放することができる。
【００５１】
いくつかの構成では、膨張可能構造体７６は、ユーザが手動で（例えば、バルブ６６内に空気を手動で吹き込むか、又は別の方法で押し込むことによって）膨張させることができる。他の構成では、膨張可能構造体７６は、自己膨張性連続気泡発泡体を含んでもよい。このタイプの構成によって、構造体７６内の連続気泡発泡体は、バルブ６６が開いているときに空気を構造体７６に自動的に引き込み、連続気泡発泡体が満ちるまで及び／又はバルブ６６が閉じられるまで構造体７６を膨張させ拡張させる。膨張可能構造体７６が適切な拡張位置に到達すると、バルブ６６は閉じることができる。膨張可能構造体７６を圧縮することが望ましい場合、バルブ６６は開くことができ、膨張可能構造体７６は圧縮することができ、空気を発泡体から外に、そしてバルブ６６を通して膨張可能構造体７６から外に押し出すことができる。
【００５２】
調節可能な支持構造体２６−１が１つの膨張可能構造体７６及び１つの対応するバルブ６６を含む図１２の実施例は、単なる例示に過ぎない。所望であれば、調節可能な支持構造体２６−１は、複数の空気チャンバを含んでもよい（例えば、調節可能な支持構造体２６−１は、それぞれ対応するバルブ６６を有する２つ、３つ、４つ、４つより多く、又は４つ未満の膨張可能構造体７６を含んでもよい）。例えば、所望であれば、第１の膨張可能構造体７６及びバルブ６６は、ユーザの額に載るように構成されてもよく、第２の膨張可能構造体７６及びバルブ６６は、ユーザの左頬に載るように構成されてもよく、第３の膨張可能構造体７６及びバルブ６６は、ユーザの右頬の上に載るように構成されてもよい。これにより、支持構造体２６−１の個々の部分の膨張及び収縮が互いに独立して制御されることを可能にする。
【００５３】
図１３は、デバイス１０内の調節可能な支持構造体２６−１の別の例示的な実施例の斜視図を示す。図１３に示すように、デバイス１０は、フレーム８４を含むことができる。フレーム８４は、主ユニット２６−３に結合する外面８６、及びユーザの顔に面する内面８８を有することができる。所望であれば、フレーム８４は、主ユニット２６−３の一部を形成してもよく、又は調節可能な支持構造体２６−１の一部を形成してもよい。
【００５４】
図１３の実施例では、調節可能な支持構造体２６−１は、変形可能構造体８２を含む。変形可能構造体８２には、ポリマー、エラストマー、布地、形状記憶合金材料、適切な温度（例えば、４５℃又は他の好適な温度）に加熱されたときに柔らかく展性になる熱可塑性材料、及び／又は他の好適な材料などの可撓性材料が含まれてもよい。構造体８２の全体は可撓性であってもよく、又は構造体８２に取り付けられるか、若しくは埋め込まれた剛性構造体（例えば、金属シート、金属ワイヤ、骨組みフレーム、他の剛性構造体など）であってもよい。構造体８２は、外側部分１０８を有することができる。外側部分１０８は、デバイス１０がユーザの頭部に装着されたときに、ユーザのこめかみに接して置かれるように構成することができる。構造体８２の可撓性及び弾性により、構造体８２の外側部分１０８は、外向きに拡張し、方向８０に内側に収縮して、異なる顔幅に適応するように構成することができる（例えば、図５を参照）。
【００５５】
一実施形態によれば、筐体構造体と、筐体構造体内に取り付けられたディスプレイモジュールと、筐体構造体に結合された調節可能な支持構造体とを含む、ユーザの頭部に装着されるように構成されているヘッドマウントデバイスが提供され、調節可能な支持構造体は、ヘッドマウントデバイスがユーザの頭部に装着されたときにユーザの額に接して置かれる第１の部分と、ユーザのそれぞれの左及び右の頬に接して置かれる第２及び第３の部分とを含み、調節可能な支持構造体は拡張及び収縮するように構成されている。
【００５６】
別の実施形態によれば、調節可能な支持構造体の第１、第２、及び第３の部分は、互いに独立して拡張及び収縮するように構成されている。
【００５７】
別の実施形態によれば、調節可能な支持構造体は、調節可能な長さを有するポストを含む。
【００５８】
別の実施形態によれば、調節可能な支持構造体は、各ポストの一端に位置するパッドを含む。
【００５９】
別の実施形態によれば、調節可能な支持構造体は、少なくとも２つの材料の入れ子式の層を含む。
【００６０】
別の実施形態によれば、少なくとも２つの材料の入れ子式の層はそれぞれ、ヘッドマウントデバイスがユーザの頭部に装着されたときに、ユーザの眼の周辺部を取り囲む連続的なループを形成する。
【００６１】
別の実施形態によれば、少なくとも２つの材料の入れ子式の層はそれぞれ上部及び下部を有し、上部は、上部及び下部が互いに独立して拡張及び収縮するように、下部から分離されている。
【００６２】
別の実施形態によれば、調節可能な支持構造体は膨張可能構造体を含む。
【００６３】
別の実施形態によれば、膨張可能構造体はバルブを含む。
【００６４】
別の実施形態によれば、膨張可能構造体は、バルブが開いているときに自己膨張する連続気泡発泡体を含む。
【００６５】
別の実施形態によれば、調節可能な支持構造体はエラストマー材料を含む。
【００６６】
一実施形態によれば、筐体構造体と、筐体構造体内に取り付けられたディスプレイモジュールと、筐体構造体に結合された調節可能な支持構造体とを含む、ユーザの頭部に装着されるように構成されているヘッドマウントデバイスが提供され、調節可能な支持構造体は、ヘッドマウントデバイスがユーザの頭部に装着されたときにユーザの額に接して置かれる第１の部分と、ユーザのそれぞれの左及び右のこめかみに接して置かれる第２及び第３の部分とを含み、調節可能な支持構造体は、圧力が第１の部分に加えられると第２及び第３の部分を互いに向かって引っ張るケーブルを含む。
【００６７】
別の実施形態によれば、調節可能な支持構造体は可撓性部材を含み、ケーブルは可撓性部材内に位置する。
【００６８】
別の実施形態によれば、可撓性部材は、ヘッドマウントデバイスがユーザの頭部に装着されたときに、ユーザの眼の周辺部を取り囲むループを形成する。
【００６９】
別の実施形態によれば、ケーブルは、ヘッドマウントデバイスがユーザの頭部に装着されたときに、ユーザの眼の周辺部を取り囲む可撓性部材内に、追加のループを形成する。
【００７０】
別の実施形態によれば、可撓性部材は、第１及び第２の旋回点を有し、第１の旋回点は、第１の部分と第２の部分との間に位置し、第２の旋回点は、第１の部分と第３の部分との間に位置し、可撓性部材は、ケーブルが第２及び第３の部分を互いに向かって引っ張るときに、第１及び第２の旋回点で旋回する。
【００７１】
一実施形態によれば、筐体構造体と、筐体構造体内に取り付けられたディスプレイモジュールと、筐体構造体に結合された調節可能な支持構造体とを含む、ユーザの頭部に装着されるように構成されているヘッドマウントデバイスが提供され、調節可能な支持構造体は、ヘッドマウントデバイスがユーザの頭部に装着されたときにユーザの額に接して置かれる第１の部分、とユーザのそれぞれの左及び右の頬に接して置かれる第２及び第３の部分とを含み、調節可能な支持構造体は、旋回点を中心に回転する可動部材を含む。
【００７２】
別の実施形態によれば、可動部材は上端部及び下端部を含み、旋回点は下端部に位置する。
【００７３】
別の実施形態によれば、可動部材は上端部及び下端部を含み、旋回点は上端部と下端部との間に位置する。
【００７４】
別の実施形態によれば、ヘッドマウントデバイスは、筐体構造体をユーザの頭部に取り付けるストラップを含み、可動構造体はストラップに対して回転する。
【００７５】
一実施形態によれば、筐体構造体と、筐体構造体内に取り付けられたディスプレイモジュールと、筐体構造体に結合された調節可能な支持構造体とを含む、ユーザの頭部に装着されるように構成されているヘッドマウントデバイスが提供され、調節可能な支持構造体は、ヘッドマウントデバイスがユーザの頭部に装着されたときにユーザの額に接して置かれる第１の部分と、ユーザのそれぞれの左及び右の頬に接して置かれる第２及び第３の部分とを含み、調節可能な支持構造体は拡張及び収縮するように構成されている。
【００７６】
別の実施形態によれば、調節可能な支持構造体の第１、第２、及び第３の部分は、互いに独立して拡張及び収縮するように構成されている。
【００７７】
別の実施形態によれば、調節可能な支持構造体は、調節可能な長さを有するポストを含む。
【００７８】
別の実施形態によれば、調節可能な支持構造体は、各ポストの一端に位置するパッドを含む。
【００７９】
別の実施形態によれば、調節可能な支持構造体は、少なくとも２つの材料の入れ子式の層を含む。
【００８０】
別の実施形態によれば、少なくとも２つの材料の入れ子式の層はそれぞれ、ヘッドマウントデバイスがユーザの頭部に装着されたときに、ユーザの眼の周辺部を取り囲む連続的なループを形成する。
【００８１】
別の実施形態によれば、少なくとも２つの材料の入れ子式の層はそれぞれ上部及び下部を有し、上部は、上部及び下部が互いに独立して拡張及び収縮するように、下部から分離されている。
【００８２】
別の実施形態によれば、調節可能な支持構造体は膨張可能構造体を含む。
【００８３】
別の実施形態によれば、膨張可能構造体はバルブを含む。
【００８４】
別の実施形態によれば、膨張可能構造体は、バルブが開いているときに自己膨張する連続気泡発泡体を含む。
【００８５】
別の実施形態によれば、調節可能な支持構造体はエラストマー材料を含む。
【００８６】
一実施形態によれば、筐体構造体と、筐体構造体内に取り付けられたディスプレイモジュールと、筐体構造体に結合された調節可能な支持構造体とを含む、ユーザの頭部に装着されるように構成されているヘッドマウントデバイスが提供され、調節可能な支持構造体は、ヘッドマウントデバイスがユーザの頭部に装着されたときにユーザの額に接して置かれる第１の部分と、ユーザのそれぞれの左及び右のこめかみに接して置かれる第２及び第３の部分とを含み、調節可能な支持構造体は、圧力が第１の部分に加えられると第２及び第３の部分を互いに向かって引っ張るケーブルを含む。
【００８７】
別の実施形態によれば、調節可能な支持構造体は可撓性部材を含み、ケーブルは可撓性部材内に位置する。
【００８８】
別の実施形態によれば、可撓性部材は、ヘッドマウントデバイスがユーザの頭部に装着されたときに、ユーザの眼の周辺部を取り囲むループを形成する。
【００８９】
別の実施形態によれば、ケーブルは、ヘッドマウントデバイスがユーザの頭部に装着されたときに、ユーザの眼の周辺部を取り囲む可撓性部材内に、追加のループを形成する。
【００９０】
別の実施形態によれば、可撓性部材は、第１及び第２の旋回点を有し、第１の旋回点は第１の部分と第２の部分との間に位置し、第２の旋回点は、第１の部分と第３の部分との間に位置し、可撓性部材は、ケーブルが第２及び第３の部分を互いに向かって引っ張るときに、第１及び第２の旋回点で旋回する。
【００９１】
一実施形態によれば、筐体構造体と、筐体構造体内に取り付けられたディスプレイモジュールと、筐体構造体に結合された調節可能な支持構造体とを含む、ユーザの頭部に装着されるように構成されているヘッドマウントデバイスが提供され、調節可能な支持構造体は、ヘッドマウントデバイスがユーザの頭部に装着されたときにユーザの額に接して置かれる第１の部分と、ユーザのそれぞれの左及び右の頬に接して置かれる第２及び第３の部分とを含み、調節可能な支持構造体は、旋回点を中心に回転する可動部材を含む。
【００９２】
別の実施形態によれば、可動部材は上端部及び下端部を含み、旋回点は下端部に位置する。
【００９３】
別の実施形態によれば、可動部材は上端部及び下端部を含み、旋回点は上端部と下端部との間に位置する。
【００９４】
別の実施形態によれば、ヘッドマウントデバイスは、筐体構造体をユーザの頭部に取り付けるストラップを含み、可動構造体はストラップに対して回転する。
【００９５】
前述は、単なる例示に過ぎず、説明された実施形態に対して多様な変更を行うことができる。前述の実施形態は、個別に又は任意の組み合わせで実装することができる。
【図１】
2021536173.tif 000003
【図２】
2021536173.tif 000004
【図３】
2021536173.tif 000005
【図４】
2021536173.tif 000006
【図５】
2021536173.tif 000007
【図６】
2021536173.tif 000008
【図７】
2021536173.tif 000009
【図８】
2021536173.tif 000010
【図９】
2021536173.tif 000011
【図１０】
2021536173.tif 000012
【図１１】
2021536173.tif 000013
【図１２】
2021536173.tif 000014
【図１３】
2021536173.tif 000015
【国際調査報告】
2021536173.tif 000016
2021536173.tif 000017
2021536173.tif 000018
2021536173.tif 000019
2021536173.tif 000020